(57)【特許請求の範囲】
【請求項１】
ヘッドボックスから遮蔽材を吊下支持する日射遮蔽装置であって、
前記遮蔽材の中間部又は下端部にレールを有し、
前記レールは、金属材料で形成されるレール本体と、樹脂材料で形成されるカバーを有し、前記カバーの長尺方向の伸縮を抑制するように前記レール本体及び前記カバーの左右幅方向の各端部を係止するキャップを利用して前記カバーが前記レール本体に取着され、
前記キャップ、或いは前記キャップと前記レール本体及び前記カバーとの間に設けられる係止部材が、前記レール本体及び前記カバーの各々を係止可能とする係止部と弾性変形可能に鏃状の先端部を持つ係合用突起部とを有し、該係合用突起部が前記カバーに対し穴加工で形成した係合用受部と係合させるよう構成されていることを特徴とする日射遮蔽装置。
【請求項２】
前記レールは、前記レール本体に前記カバーを位置決めする位置決め手段が設けられていることを特徴とする、請求項１に記載の日射遮蔽装置。
【請求項３】
ヘッドボックスから遮蔽材を吊下支持する日射遮蔽装置であって、
前記遮蔽材の中間部又は下端部にレールを有し、
前記レールは、金属材料で形成されるレール本体と、樹脂材料で形成されるカバーを有し、前記カバーの長尺方向の伸縮を抑制するように前記カバーが前記レール本体に取着され、
前記レール本体は、前記カバーと当接する当接面に、該カバーの長尺方向の伸縮を抑制するよう切り曲げ加工によって突出させるか、又は凸状に形成された部分的に突起する係合用突起部を有し、
前記カバーは、前記係合用突起部と係合する穴加工で形成した係合用受部を有することを特徴とする日射遮蔽装置。
【請求項４】
前記係合用突起部及び前記係合用受部は、それぞれ前記レール本体及び前記カバーの左右方向の両端部近傍にて少なくとも１つ以上設けられていることを特徴とする、請求項３に記載の日射遮蔽装置。
【請求項５】
前記ヘッドボックスは、金属材料で形成される本体部と、樹脂材料で形成されるカバーを有し、前記本体部は、該カバーと当接する当接面に、該カバーの長尺方向の伸縮を抑制するよう部分的に突起する第２の係合用突起部を有し、該カバーは、該係合用突起部と係合する第２の係合用受部を有することを特徴とする、請求項１から４のいずれか一項に記載の日射遮蔽装置。
【請求項６】
前記第２の係合用突起部及び前記第２の係合用受部は、それぞれ前記本体部及び該カバーの左右方向の両端部近傍にて少なくとも１つ以上設けられていることを特徴とする、請求項５に記載の日射遮蔽装置。
【請求項７】
ヘッドボックスから遮蔽材を吊下支持する日射遮蔽装置であって、
前記ヘッドボックスは、金属材料で形成されるヘッドボックス本体と、樹脂材料で形成されるカバーとを有し、
前記ヘッドボックス本体は、前記カバーと当接する当接面に、該カバーの長尺方向の伸縮を抑制するよう部分的に突起する係合用突起部を有し、
前記カバーは、前記係合用突起部と係合する係合用受部を有することを特徴とする日射遮蔽装置。
【発明の詳細な説明】
【技術分野】
【０００１】
本発明は、日射遮蔽装置における中間レール及びヘッドボックスに関する。
【背景技術】
【０００２】
ボールチェーン等の操作コードを操作して遮蔽材を昇降操作する日射遮蔽装置には、横型ブラインドや、スクリーンを昇降するロールブラインド、カーテン生地を昇降する、たくし上げカーテンやプリーツスクリーン等がある。
【０００３】
例えばプリーツスクリーンは、上下方向にジクザグ状に折り曲げ可能としたスクリーンをヘッドボックスから吊下支持し、そのスクリーンを操作装置により昇降して採光量を適宜に調節するものである。
【０００４】
そして、スクリーンの下端に取着されるボトムレールの重心を当該プリーツスクリーンの後端側に位置させた構成が開示されている（例えば、特許文献１参照）。これにより、ボトムレールの傾動を防止可能とするプリーツスクリーンを構成することができる。
【０００５】
一方、このようなプリーツスクリーンの一種類として、スクリーンを異なる生地の上部スクリーンと下部スクリーンとで構成し、上部スクリーンの下端縁と下部スクリーンの上端縁を中間レールに取着し、中間レールとボトムレールをそれぞれ独立した昇降コードで吊下支持したものがある。
【０００６】
このようなプリーツスクリーンでは、中間レールとボトムレールとをそれぞれ別個に昇降可能である。そして、中間レールを上限まで引き上げ、ボトムレールを下限まで下降させると、例えば遮光性の高い下部スクリーンで外光を遮断することができる。中間レール及びボトムレールを下限まで下降させると、例えば透光性のある上部スクリーンで外光を一部採り入れ可能とすることができる。
【０００７】
また、ボトムレールを下限まで下降させ、中間レールを中間位置まで引き上げれば、窓の上部のみから外光を一部採り入れることもできる。また、中間レール及びボトムレールを上限まで引き上げると、開放状態となって外光を採り入れることができる。
【０００８】
尚、一般に、プリーツスクリーンにおける中間レール本体やヘッドボックス本体、或いはボトムレール本体は、その強度を維持するためにアルミニウム材等の金属材料で形成される。そして、金属材料で形成されるヘッドボックス本体に対して、樹脂材料の上カバーが取着されることもよくある。
【先行技術文献】
【特許文献】
【０００９】
【特許文献１】特許第４８９７５５２号明細書
【発明の概要】
【発明が解決しようとする課題】
【００１０】
特許文献１に開示されるように、ボトムレールの重心を当該プリーツスクリーンの後端側に位置させることで、ボトムレールの傾動を防止可能とし、美観を向上させることができる。
【００１１】
同様に、上部スクリーンの下端縁と下部スクリーンの上端縁を中間レールに取着し、中間レールとボトムレールをそれぞれ独立した昇降コードで吊下支持したプリーツスクリーンにおいても、当該中間レールの傾動を防止可能とするために、中間レールの重心を当該プリーツスクリーンの後端側に位置させることが有効となる。
【００１２】
一方で、中間レールの重心を当該プリーツスクリーンの後端側に位置させると、上部スクリーン及び下部スクリーンの畳み込み時に、中間レールの部分だけ凹んだように観えるため美観を損なうおそれがある。
【００１３】
そこで、中間レール全体の重心を当該プリーツスクリーンの後端側に位置させるとともに、上部スクリーン及び下部スクリーンの畳み込み時においても美観を向上させる技法が望まれる。
【００１４】
また、前述したように、プリーツスクリーンにおける中間レール本体やヘッドボックス本体、或いはボトムレール本体は、その強度を維持するためにアルミニウム材等の金属材料で形成される。特に、中間レールやボトムレールについては下降の際に必要な重量を確保する目的も意図されている。そして、アルミニウム材等の金属材料で形成されたヘッドボックス本体に対して樹脂材料の上カバーが取着されることがあるが、形状に関する経年変化に強いヘッドボックス本体に対して、形状に関する経年変化に弱い樹脂材料の上カバーを取着することになるため、従来から実施されている技法では、上カバーについて取り換え容易な形態とすることが要求されている。このため、利用者にとって管理負担が増大し、好ましくない。
【００１５】
また、中間レール本体に操作コードの端部を取着する形態において、折り返された操作コードに異物が挟まるときの安全性を考慮した技法が望まれる。
【００１６】
本発明の目的は、上述の問題に鑑みて、ヘッドボックスから遮蔽材を吊下支持する日射遮蔽装置を提供することにある。
【課題を解決するための手段】
【００１７】
本発明の日射遮蔽装置は、ヘッドボックスから遮蔽材を吊下支持する日射遮蔽装置であって、前記遮蔽材の中間部又は下端部にレールを有し、前記レールは、金属材料で形成されるレール本体と、樹脂材料で形成されるカバーを有し、前記カバーの長尺方向の伸縮を抑制するように前記レール本体及び前記カバーの左右幅方向の各端部を係止するキャップを利用して前記カバーが前記レール本体に取着され、前記キャップ、或いは前記キャップと前記レール本体及び前記カバーとの間に設けられる係止部材が、前記レール本体及び前記カバーの各々を係止可能とする係止部と弾性変形可能に鏃状の先端部を持つ係合用突起部とを有し、該係合用突起部が前記カバーに対し穴加工で形成した係合用受部と係合させるよう構成されていることを特徴とする。
【００１８】
また、本発明の日射遮蔽装置において、前記レールは、前記レール本体に前記カバーを位置決めする位置決め手段が設けられていることを特徴とする。
【００１９】
また、本発明の日射遮蔽装置は、ヘッドボックスから遮蔽材を吊下支持する日射遮蔽装置であって、前記遮蔽材の中間部又は下端部にレールを有し、前記レールは、金属材料で形成されるレール本体と、樹脂材料で形成されるカバーを有し、前記カバーの長尺方向の伸縮を抑制するように前記カバーが前記レール本体に取着され、前記レール本体は、前記カバーと当接する当接面に、該カバーの長尺方向の伸縮を抑制するよう切り曲げ加工によって突出させるか、又は凸状に形成された部分的に突起する係合用突起部を有し、前記カバーは、前記係合用突起部と係合する穴加工で形成した係合用受部を有することを特徴とする。
【００２０】
また、本発明の日射遮蔽装置において、前記係合用突起部及び前記係合用受部は、それぞれ前記レール本体及び前記カバーの左右方向の両端部近傍にて少なくとも１つ以上設けられていることを特徴とする。
【００２１】
また、本発明の日射遮蔽装置において、前記ヘッドボックスは、金属材料で形成される本体部と、樹脂材料で形成されるカバーを有し、前記本体部は、該カバーと当接する当接面に、該カバーの長尺方向の伸縮を抑制するよう部分的に突起する第２の係合用突起部を有し、該カバーは、該係合用突起部と係合する第２の係合用受部を有することを特徴とする。
【００２２】
また、本発明の日射遮蔽装置において、前記第２の係合用突起部及び前記第２の係合用受部は、それぞれ前記本体部及び該カバーの左右方向の両端部近傍にて少なくとも１つ以上設けられていることを特徴とする。
【００２３】
また、本発明の日射遮蔽装置において、ヘッドボックスから遮蔽材を吊下支持する日射遮蔽装置であって、前記ヘッドボックスは、金属材料で形成されるヘッドボックス本体と、樹脂材料で形成されるカバーとを有し、前記ヘッドボックス本体は、前記カバーと当接する当接面に、該カバーの長尺方向の伸縮を抑制するよう部分的に突起する係合用突起部を有し、前記カバーは、前記係合用突起部と係合する係合用受部を有することを特徴とする。
【発明の効果】
【００２５】
本発明によれば、中間レールを利用する日射遮蔽装置において、中間レールの重心を当該日射遮蔽装置の後端側に位置させるとともに、上部スクリーン及び下部スクリーンの畳み込み時における美観を向上させることができる。特に、中間レール本体を金属材料とし樹脂材料の前カバーの伸縮（特に、収縮）を抑制するよう係止して取着するよう中間レールを構成することで、形状に関する経年変化に強い日射遮蔽装置を構成することができる。
【００２６】
また、本発明によれば、日射遮蔽装置において、ヘッドボックスにおける上カバーの形状に関する経年変化を抑制することができる。
【図面の簡単な説明】
【００２７】
【図１】本発明による一実施形態の日射遮蔽装置における概略構成を示す正面図である。
【図２】本発明による一実施形態の日射遮蔽装置における全閉状態時の概略構成を示す側面図である。
【図３】本発明による一実施形態の日射遮蔽装置における全開状態時の概略構成を示す側面図である。
【図４】本発明による一実施形態の日射遮蔽装置における中間レールの分解斜視図である。
【図５】（ａ），（ｂ）は本発明による本発明による一実施形態の日射遮蔽装置における中間レール本体の一例を示す平面図である。
【図６】（ａ），（ｂ），（ｃ），（ｄ）は本発明による本発明による一実施形態の日射遮蔽装置における中間レール本体の一例を示す正面図である。
【図７】本発明による一実施形態の日射遮蔽装置におけるヘッドボックスの分解斜視図である。
【図８】（ａ），（ｂ）は本発明による一実施形態の日射遮蔽装置における中間レールの別例を示す分解斜視図である。
【図９】本発明による別の実施形態の日射遮蔽装置における全閉状態時の概略構成を示す側面図である。
【図１０】本発明による別の実施形態の日射遮蔽装置における中間レールの分解斜視図である。
【図１１】（ａ），（ｂ）は、それぞれ本発明による別の実施形態の日射遮蔽装置の概略構成を示す側面図と、連結部材（セーフティジョイント）の斜視図である。
【発明を実施するための形態】
【００２８】
以下、図面を参照して、本発明による一実施形態の日射遮蔽装置を説明する。尚、本願明細書中、図１に示す日射遮蔽装置（プリーツスクリーン）の正面図に対して、図示上方及び図示下方を遮蔽材（本例では、スクリーン）の吊り下げ方向に準じてそれぞれ上方向（又は上側）及び下方向（又は下側）と定義し、図示左方向をプリーツスクリーンの左側、及び、図示右方向をプリーツスクリーンの右側と定義して説明する。図１の正面図を視認する側を前側とし、日射遮蔽装置（プリーツスクリーン）の前後方向と称するときは、図１の正面図における図示面に対して垂直な方向を云う。
【００２９】
（日射遮蔽装置の全体構成）
図１は、本発明による一実施形態の日射遮蔽装置の概略構成を示す正面図である。図２は、本発明による一実施形態の日射遮蔽装置における全閉状態時の概略構成を示す側面図である。
【００３０】
図１及び図２に示すプリーツスクリーンは、上下方向にジクザグ状に折り曲げ可能としたスクリーンをヘッドボックス１から吊下支持し、そのスクリーンを操作装置３により昇降して採光量を適宜に調節するものである。ヘッドボックス１は、取付ブラケット２を介して取付面に固定される。本発明に係るヘッドボックス１の詳細は、後述する。
【００３１】
本例のプリーツスクリーンでは、スクリーンを異なる生地の上部スクリーン１１Ｕと下部スクリーン１１Ｌとで構成し、上部スクリーン１１Ｕの下端縁と下部スクリーン１１Ｌの上端縁を中間レール７に取着し、中間レール７とボトムレール８をそれぞれ独立した昇降コード１５，１６で吊下支持している。本発明に係る中間レール７の詳細は、後述する。
【００３２】
スクリーン１１Ｕ，１１Ｌの各々は、折り目１１ａを設けた生地の上下両端縁に接合片１１ｂをそれぞれ設け、その接合片１１ｂを他の生地の接合片１１ｂに溶着等の手段により接合して形成されている。
【００３３】
そして、スクリーン１１Ｕの当該接合片に対しては、ヘッドボックス１から垂下される昇降コード１５，１６が挿通され、昇降コード１５の下端は中間レール７に取着される。スクリーン１１Ｌの当該接合片に対しては、昇降コード１６が挿通され、昇降コード１６の下端はボトムレール８に取着される。
【００３４】
したがって、ボトムレール８を昇降することによりスクリーン１１Ｕ，１１Ｌを下方へ引き延ばし、或いはスクリーン１１Ｕ，１１Ｌを上方へ畳み込み可能である。
【００３５】
そして、操作コード９は、例えば無端状のボールチェーンで構成され、操作装置３内にて回転可能に収容されるプーリー１０に巻き掛けられる。プーリー１０の外周面には、操作コード９のボールチェーンのボール部が嵌まり込む複数の凹部が形成されている。
【００３６】
そして、プーリー１０には、複数のギヤからなる伝達ギヤがヘッドボックス１内で連結され、この伝達ギヤが各伝達クラッチに連結されている（図示せず）。したがって、この伝達ギヤによってプーリー１０の回転が各伝達クラッチを介して回転駆動軸に伝達されるようになっている。
【００３７】
巻取軸５は、上部スクリーン１１Ｕ，１１Ｌの各々に対して個別に設けられ、ヘッドボックス１内で並列に配置されている。また、上部スクリーン１１Ｕ，１１Ｌの各々の巻取軸５も２軸で構成されている。そして、上部スクリーン１１Ｕの回転駆動軸の回転によって、ヘッドボックス１内で回転可能に支持された巻取軸５が回転し、巻取軸５の回転による昇降コード１５の巻取り及び巻戻しによって上部スクリーン１１Ｕが昇降される。同様に、下部スクリーン１１Ｌ用の回転駆動軸の回転によって、ヘッドボックス１内で回転可能に支持された巻取軸５が回転し、巻取軸５の回転による昇降コード１６の巻取り及び巻戻しによってスクリーン１１Ｌが昇降される。
【００３８】
左右に配置される各巻取軸５の間には、それぞれ回転駆動軸の回転を制御するストッパー装置４が配置され、ストッパー装置４は、ボトムレール８の引き上げ操作の後に操作コード９を手放したとき、中間レール７やボトムレール８の自重降下を防止するよう機能する。
【００３９】
また、ストッパー装置４の側方において、上部スクリーン１１Ｕ及び下部スクリーン１１Ｌ用のそれぞれの回転駆動軸が、それぞれのガバナー装置６に挿通されている。ガバナー装置６は、回転駆動軸の回転速度を所定値以下に抑制して、中間レール７やボトムレール８の自重降下時の下降速度を所定速度以下に抑制する機能を有する。
【００４０】
このようなプリーツスクリーンでは、中間レール７とボトムレール８とをそれぞれ別個に昇降可能である。そして、中間レール７を上限まで引き上げ、ボトムレール８を下限まで下降させると、例えば遮光性の高い下部スクリーン１１Ｌで外光を遮断することができる。中間レール７及びボトムレール８を下限まで下降させると、例えば透光性のある上部スクリーン１１Ｕで外光を一部採り入れ可能とすることができる。
【００４１】
ボトムレール８を下限まで下降させ、中間レール７を中間位置まで引き上げれば、窓の上部のみから外光を一部採り入れることもできる。また、中間レール７及びボトムレール８を上限まで引き上げると、開放状態となって外光を採り入れることができる。
【００４２】
尚、昇降コード１５，１６の後方、即ち室外側において、ヘッドボックス１からピッチ保持コード１７が垂下され、中間レール７に取着される。このピッチ保持コード１７に等間隔に多数設けられた環状の支持コード１７ａには、昇降コード１５，１６が挿通されている。そして、中間レール７を下降させて上部スクリーン１１Ｕを引き伸ばすとき、上部スクリーン１１Ｕの当該接合片が支持コードに支持されて、上部スクリーン１１Ｕの折り目がほぼ等間隔に保持されるようになっている。
【００４３】
図２に示すように、昇降コード１５の吊下位置とは異なる位置でヘッドボックス１から昇降コード１６が吊下支持され、この昇降コード１６は上部スクリーン１１Ｕの当該接合片１１ｂに設けられた挿通孔に挿通され、中間レール７に挿通され、且つ下部スクリーン１１Ｌの当該接合片１１ｂに設けられた挿通孔に挿通される。そして、昇降コード１６の下端にボトムレール８が吊下支持されている。
【００４４】
また、昇降コード１６の後方、即ち室外側において、中間レール７から垂下されるピッチ保持コード１７が、ボトムレール８に取着されている。このピッチ保持コード１７に等間隔に多数設けられた環状の支持コード１７ｂには、昇降コード１６が挿通されている。そして、ボトムレール８を下降させて下部スクリーン１１Ｌを引き伸ばすとき、この接合片が支持コードに支持されて、下部スクリーン１１Ｌの折り目がほぼ等間隔に保持されるようになっている。
【００４５】
（中間レールの構成）
次に、図３及び図４を参照しながら、本発明に係る一実施例の中間レール７の詳細を説明する。図３は、本発明による一実施形態の日射遮蔽装置における全開状態時の概略構成を示す側面図である。図４は、本発明による一実施形態の日射遮蔽装置における中間レール７の分解斜視図である。
【００４６】
まず、図４を参照するに、本実施例の中間レール７は、中間レール本体１２及び前カバー１３を備える。そして、中間レール本体１２は、アルミニウム等の金属材料で形成され、前カバー１３はＰＶＣ，ＰＯＭ，ＰＣ，ＡＢＳ等の樹脂材料で形成される。ここで、中間レール本体１２は、押出し成形でその用途に適した形状に成形することができ、中間レール本体１２は、成形型を利用してその用途に適した形状に成形することができる。
【００４７】
中間レール本体１２は、上部スクリーン１１Ｕ及び下部スクリーン１１Ｌの左右幅方向全長に亘って長尺な形状で構成され、その上面には保持孔１２３が形成されている。保持孔１２３は、昇降コード１５の下端を取着するとともに昇降コード１６を挿通するための保持部材（図示せず）を中間レール本体１２の内部に係着可能とするためであり、昇降コード１５，１６の設置数に応じて設けられている。
【００４８】
そして、中間レール７は、中間レール本体１２の前方（室内側）から左右幅方向全長に亘って略直方体状の前カバー１３が嵌着されることで構成される。本例では、前カバー１３の室外側側面には、弾性変形可能に鏃状の先端部を有する二股状の嵌合用突起部１３１が設けられ、中間レール本体部１２の室内側側面には、その二股状の嵌合用突起部１３１と嵌合する嵌合用受部１２１が形成されている。そして、前カバー１３を中間レール本体部１２に嵌着した状態では、図３に示すように、当該前カバー１３の位置が上部スクリーン１１Ｕ及び下部スクリーン１１Ｌを構成する生地の積層状態で該生地の前縁と連なる前壁となるよう構成されており、美観を向上させることができる。尚、このような嵌着を実現する形態は、上述した二股状の嵌合用突起部１３１、並びにこの嵌合用突起部１３１と嵌合する嵌合用受部１２１の形態に限定されず、他の形態でもよい。
【００４９】
ここで、一般に、金属材料は樹脂材料に対して比重が重く強度も高いことから、中間レール７としての機能を満足する中間レール本体１２を金属材料で形成し、中間レール本体１２に取着する前カバー１３を樹脂材料で形成することで、中間レール７全体に係る重心が中間レール本体１２の配置で主に定まるようになる 。これにより、図２及び図３に示すように、中間レール本体１２を当該日射遮蔽装置の後端側に位置させることで、中間レール７全体の重心を当該日射遮蔽装置の後端側に位置させることができ、上記の美観の向上を維持しつつ中間レール７全体の傾動を抑制することができる。
【００５０】
一方で、金属材料は形状に関する経年変化に強いが、これに比して樹脂材料は形状に関する経年変化に弱い。このため、前カバー１３の二股状の嵌合用突起部１３１と、中間レール本体部１２の嵌合用受部１２１とを嵌合させて取着させたのみでは、樹脂材料の前カバー１３が、その経年変化によって左右幅方向に伸縮（特に、収縮）してしまい、美観を損ないうる。
【００５１】
そこで、本実施例の中間レール７では、中間レール本体１２における前カバー１３と当接する当接面にて、その左右幅方向の両端部近傍（例えば、中間レール７の端部から、その左右方向幅長の１／５以下となる位置）にそれぞれ上下二箇所ずつ、切り曲げ加工によって突出させた係合用突起部１２２Ｒ，１２２Ｌを形成させ、前カバー１３には、係合用突起部１２２Ｒ，１２２Ｌと対応する位置で、その左右幅方向の両端部近傍にそれぞれ上下二箇所ずつ、穴加工で係合用受部１３２Ｒ，１３２Ｌを形成させている。従って、前カバー１３が収縮しない方向に、係合用受部１３２Ｒ，１３２Ｌを係合用突起部１２２Ｒ，１２２Ｌで係止させることができる。
【００５２】
このように、前カバー１３の二股状の嵌合用突起部１３１と、中間レール本体部１２の嵌合用受部１２１とを嵌合させて取着させた状態で、係合用突起部１２２Ｒ，１２２Ｌと係合用受部１３２Ｒ，１３２Ｌとが係合するよう構成することで、前カバー１３の経年変化に起因して伸縮（特に、収縮）する形状変化を抑制できるようになっている。
【００５３】
尚、本例では、図５（ａ）に示すように、中間レール本体１２における係合用突起部１２２Ｒ，１２２Ｌを切り曲げ加工によって突出させて形成する例を代表して説明しているが、図５（ｂ）に示すような、例えば凸状に突出させて形成してもよい。
【００５４】
また、本例では、係合用突起部１２２Ｒ，１２２Ｌと係合する係合用受部１３２Ｒ，１３２Ｌを、それぞれ左右幅方向の両端部近傍にて上下二箇所ずつ設ける例を説明したが、それ以上の数で構成してもよいし、左右幅方向の長さ等、その用途に応じた箇所及び個数で設けるようにする。例えば、係合用受部１３２Ｒ，１３２Ｌについて、それぞれ上下二箇所ずつ設ける構成（図６（ａ）参照）とする以外に、それぞれ上側又は下側の一箇所ずつ設ける構成（図６（ｂ），（ｃ）参照）や、左右幅方向の中央部近傍にも一箇所以上設ける構成（図６（ｄ）に例示する係合用受部１３２Ｍ）とするなど、様々な形態とすることができる。ただし、前カバー１３の経年変化に起因して伸縮（特に、収縮）する形状変化を抑制するためには、係合用突起部１２２Ｒ，１２２Ｌ及び係合用受部１３２Ｒ，１３２Ｌを、それぞれ左右幅方向の両端部近傍にて一箇所以上を設けるように構成するのが好適である。
【００５５】
これにより、中間レール７を利用する日射遮蔽装置において、中間レール７の重心を当該日射遮蔽装置の後端側に位置させるとともに、上部スクリーン１１Ｕ及び下部スクリーン１１Ｌの畳み込み時における美観を向上させることができる。好適には、中間レール本体１２を金属材料とし樹脂材料の前カバー１３の伸縮（特に、収縮）を抑制するよう係止して取着するよう中間レール７を構成することで、形状に関する経年変化に強い日射遮蔽装置を構成することができる。
【００５６】
（ヘッドボックスの構成）
次に、図２及び図３に示すヘッドボックス１について、図７を参照して説明する。図７は、本発明による一実施形態の日射遮蔽装置におけるヘッドボックス１の分解斜視図である。本例のヘッドボックス１の本体部１ａは上側開口の形態で構成され、その開口部分には、上カバー１４が取着可能となっている。この上カバー１４がヘッドボックス１に取着されることで、防塵効果・防音効果を得ることができる。
【００５７】
ヘッドボックス１の本体部１ａは、アルミニウム等の金属材料で形成され、上カバー１４が樹脂材料で形成されている。そして、ヘッドボックス１の本体部１ａ及び上カバー１４は、上部スクリーン１１Ｕ及び下部スクリーン１１Ｌの左右幅方向全長に亘って長尺な形状で構成される。このため、前述と同様に、上カバー１４の経年変化に起因して伸縮（特に、収縮）する形状変化が懸念される。
【００５８】
そこで、図７に示すように、ヘッドボックス１の本体部１ａにおける上カバー１４の挿通路上にて、前述した係合用突起部１２２Ｒ，１２２Ｌと同様の係合用突起部１０１Ｒ，１０１Ｌを設け、これら係合用突起部１０１Ｒ，１０１Ｌと係合するよう、前述した係合用受部１３２Ｒ，１３２Ｌと同様の係合用受部１４１Ｒ，１４１Ｌを、上カバー１４に設けるようにする。
【００５９】
このようにヘッドボックス１の本体部１ａを金属材料とし樹脂材料の上カバー１４の伸縮（特に、収縮）を抑制するよう係止して取着するようヘッドボックス１を構成することで、形状に関する経年変化に強い日射遮蔽装置を構成することができる。
【００６０】
尚、ヘッドボックス１についても、前述した図５及び図６に例示したように様々な形態とすることができるが、係合用突起部１０１Ｒ，１０１Ｌ及び係合用受部１４１Ｒ，１４１Ｌを、それぞれ左右幅方向の両端部近傍にて一箇所以上を設けるように構成するのが好適である。
【００６１】
また、図示しないが、ボトムレールについても、前述した図４乃至図６に例示した中間レール７と同様に、前カバーを有する全体として略直方体状の形態とすることができる。 或いはまた、ボトムレールについて、防塵効果としてその開口部を塞ぐようカバーを用いることがある（例えば、実開昭６１−１９２０９６号公報）。このようなボトムレールについて、金属材料で形成されるボトムレール本体と、樹脂材料で形成されるカバーとを有するよう構成したとき、前述した中間レール７の例と同様に、このボトムレール本体が、当該カバーと当接する当接面に係合用突起部（前述した係合用突起部１０１Ｒ，１０１Ｌに対応する）を有し、当該カバーが、この係合用突起部と係合する係合用受部（前述した係合用受部１４１Ｒ，１４１Ｌに対応する）を有するよう構成することができる。
【００６２】
以上、特定の実施形態の例を挙げて本発明を説明したが、本発明は前述の実施形態の例に限定されるものではなく、その技術思想を逸脱しない範囲で種々変形可能である。例えば、前述した例では、中間レール本体１２に係合用突起部１２２Ｒ，１２２Ｌを設け、前カバー１３の係合用受部１３２Ｒ，１３２Ｌと係合させる例を説明したが、中間レール本体１２及び前カバー１３の左右幅方向の両端部から前カバー１３の係合用受部１３２Ｒ，１３２Ｌを係合させる態様とすることができる。
【００６３】
例えば、図８（ａ）は、中間レール本体１２及び前カバー１３の左右幅方向の各端部を係止するキャップ１８を利用する例である。通常、キャップ１８は、中間レール本体１２及び前カバー１３の各々を係止可能とする係止部１８１，１８２が設けられているが、これに加えて、弾性変形可能に鏃状の先端部を有する二股状の係合用突起部１８３を設け、これにより前カバー１３の係合用受部１３２Ｒ，１３２Ｌを係合させるよう構成することができる。
【００６４】
或いは、図８（ｂ）に示すように、キャップ１８と中間レール本体１２及び前カバー１３との間に、弾性変形可能に鏃状の先端部を有する二股状の係合用突起部１９３と、係止部１９１とを有する係止部材１９を設け、係合用突起部１９３により前カバー１３の係合用受部１３２Ｒ，１３２Ｌを係合させ、係止部１９１により中間レール本体１２を係止するよう構成することができる。また、キャップ１８には、係止部材１９の基台部１９ａを収容可能な溝部１８５を設けておくことで、キャップ１８により、係止部材１９を収容する態様で、中間レール本体１２及び前カバー１３の左右幅方向の各端部を係止するよう構成することができる。図８に示すような変形例は、ヘッドボックス１についても適用可能である。
【００６５】
ただし、通常、図示するようなキャップ１８及び係止部材１９は、樹脂材料による成形が想定されるため、このような樹脂材料の係合用突起部とするよりも、前述した図４及び図７で例示するように金属材料の中間レール本体１２及びヘッドボックス１の本体部１ａに係合用突起部を設けた形態とする方が、形状に関する経年変化により強い日射遮蔽装置を構成することができる。また、金属材料の中間レール本体１２及びヘッドボックス１の本体部１ａに係合用突起部を設けた形態とすることで、キャップ１８が簡易な形状でも、
左右幅方向の位置決めが可能となり、中間レール本体１２及びヘッドボックス１の本体部１ａに取着される各カバーの形態が恒久的に安定化するとともに、全体的に低コスト化を図ることができる。
【００６６】
また、本発明は前述の実施形態の例に限定されず、例えば、日射遮蔽装置の一種類には、図９に示すように、昇降コード１５，１６の各上端がそれぞれヘッドボックス１内で案内され、コードイコライザ９ａを介して操作コード９に接続して、結び玉により中間レール７に取着する態様もある。この場合、図１０に示すように、前カバー１３の前面上に、当該操作コード９の他端を挿通するための挿通孔１３３を設けるようにすればよい。
【００６７】
また、中間レール本体１２と嵌合する前カバー１３の前面に操作コード９の端部を取着する形態（図９参照）において、図１１（ａ）に示すように、連結部材（以下、「セーフティジョイント」と称する。）３０を操作コード９に設けるのが好適である。より具体的には、セーフティジョイント３０は、例えば図１１（ｂ）に示すように嵌脱可能なオス部材３０ａとメス部材３０ｂとで構成される。オス部材３０ａは、前カバー１３に一端を取着して垂下する操作コード９の他端にて結び玉９ｃにより係止され、メス部材３０ｂは、コードイコライザ９ａに一端を取着して垂下し折り返された操作コード９の他端にて結び玉９ｄにより係止されている。そして、オス部材３０ａは突出軸部３１ａを備え、突出軸部３１ａがメス部材３０ｂに設けられた受孔３１ｂに挿入され、突出軸部３１ａに設けられた周突起により嵌合可能となっており、所定以上の引っ張り荷重を受けると受孔３１ｂが弾性的に押し広げられ分離可能となっている。
【００６８】
即ち、セーフティジョイント３０を設けていない図９に示す形態にて、折り返された操作コード９に異物Ｏｂが挟まると、荷重Ｆが異物Ｏｂに働き安全性の観点から好ましくない。このとき、仮に荷重Ｆにより前カバー１３と中間レール本体１２との嵌合（図示Ａ）が外れてその安全性が確保されたとしても、長尺な前カバー１３を中間レール本体１２に再度嵌合させて復帰させるのは利用者にとって容易ではない。
【００６９】
そこで、折り返された操作コード９に異物Ｏｂが挟まり荷重Ｆが働く場合、セーフティジョイント３０が前カバー１３と中間レール本体１２との嵌合（図示Ａ）の分離に先立ってオス部材３０ａとメス部材３０ｂが分離する連結力となるよう構成されていることにより、安全性を確保するとともに、前カバー１３が中間レール本体１２から外れることを防止することができる。なお、この嵌合力は、例えば図８に示すような前カバー１３と中間レール本体１２とを保持可能なキャップ１８を利用する際は、キャップ１８による保持力を含む。これにより、前カバー１３と中間レール本体１２との嵌合（図示Ａ）が外れるより先にセーフティジョイント３０の連結を分離させることができる。そして、セーフティジョイント３０は、利用者にとって再度連結させるのが容易な構造となっていることから、利用者にとって復帰に係る負担を軽減させることができる。
【００７０】
尚、所定のカバーをボトムレール８に備え、ボトムレール８に設けた当該カバーに連結された操作コード９にセーフティジョイント３０を設けて、このカバーとボトムレール８との嵌合の分離に先立ってセーフティジョイント３０のオス部材３０ａとメス部材３０ｂとが分離する連結力となるよう構成してもよい。
【００７１】
したがって、遮蔽材の下部にレールを有する形態で、このレールをレール本体とカバーとを嵌合して形成するときには、このカバーとレール本体との嵌合力は、このカバーとレール本体との嵌合の分離に先立って当該連結部材の連結が解除され分離するように構成するのが好適である。このように構成することで、このカバーには所定荷重以上の張力により分離する連結部材（即ち、セーフティジョイント３０）を介して無端状に操作コード９の端部が取着されることになり、その一方で、所定荷重以上の張力により当該連結部材が分離すると操作コード９が非無端状になる。
【００７２】
また、前述した例では、中間レール７に関して、中間レール本体１２に取着するカバーを前カバー１３として例示したが、中間レール本体１２の前後上下面を問わずカバーを取着する中間レール７に対して、本発明に係る係合用突起部１０１Ｒ，１０１Ｌ及び係合用受部１４１Ｒ，１４１Ｌ等の技法を適用することができる。
【００７３】
同様に、ヘッドボックス１に関して、ヘッドボックスの本体部１ａに取着するカバーを上カバー１４として例示したが、ヘッドボックス１の本体部１ａの前後上下面を問わずカバーを取着するヘッドボックス１に対して、本発明に係る係合用突起部１０１Ｒ，１０１Ｌ及び係合用受部１４１Ｒ，１４１Ｌ等の技法を適用することができる。
【００７４】
同様に、ボトムレール本体の前後上下面を問わずカバーを取着するボトムレール（図示せず）に対して、本発明に係る係合用突起部１０１Ｒ，１０１Ｌ及び係合用受部１４１Ｒ，１４１Ｌ等の技法を適用することができる。
【００７５】
また、前述した実施形態の説明では、樹脂材料として特定の例を挙げて説明したが、本発明に係る「樹脂材料」は、木材、単一樹脂、合成樹脂、又は、これらの複合材を含むものを云う。
【００７６】
また、本発明に係る「カバー」は、ヘッドボックス１の本体部１ａや、中間レール本体１２又はボトムレール本体のそれぞれに対して、その長手方向（左右方向）に略同一長の長さで構成されるものを云う。
【産業上の利用可能性】
【００７７】
本発明によれば、中間レールやヘッドボックスに関して、形状に関する経年変化に強い日射遮蔽装置を構成することができるので、中間レールやヘッドボックスを要する日射遮蔽装置の用途に有用である。
【符号の説明】
【００７８】
１  ヘッドボックス
１ａ  ヘッドボックスの本体部
７  中間レール
１２  中間レール本体
１３  中間レール用の前カバー
１４  ヘッドボックス用の上カバー
１８  キャップ
１９  中間レール用の係止部材
１０１Ｒ，１０１Ｌ  ヘッドボックスの本体部における係合用突起部
１２２Ｒ，１２２Ｌ  中間レール本体における係合用突起部
１３２Ｒ，１３２Ｌ  中間レール用の前カバーにおける係合用受部
１４１Ｒ，１４１Ｌ  ヘッドボックス用の上カバーにおける係合用受部
１３１  中間レール用の前カバーにおける嵌合用突起部
１２１  中間レール本体における嵌合用受部
【図１】
0006566632.tif 000002
【図２】
0006566632.tif 000003
【図３】
0006566632.tif 000004
【図４】
0006566632.tif 000005
【図５】
0006566632.tif 000006
【図６】
0006566632.tif 000007
【図７】
0006566632.tif 000008
【図８】
0006566632.tif 000009
【図９】
0006566632.tif 000010
【図１０】
0006566632.tif 000011
【図１１】
0006566632.tif 000012